(57)【要約】【課題】簡単で、経済的で、且つ、小型の構造を有する荷重動作椅子を提供する。【解決手段】椅子は、支持ベース１２と、移動可能な支持構造体３８を含むシート１４と、横断軸２８周りに支持ベースに連接されて、揺動する支持構造体２２を有する背もたれ１６とを含み、シート１４は、背もたれが最前傾位置にあるとき下降位置にあり、背もたれが最後傾位置にあるとき上昇位置にあるように、背もたれ１６に接続され、シートの支持構造体３８は、横断軸６０，６２周りに支持ベース１２およびシートの支持構造体３８に連接された揺動レバー５８によって、支持ベース１２に接続され、背もたれの支持構造体２２は、背もたれ１６の関節軸２８を超えて支持ベース１２まで延伸する接続部３４を有する２つの側部２６を含み、接続部３４は、背もたれ１６の関節軸２８に対して前方に配置された横断軸５６周りにシートの支持構造体３８に連接されている。【選択図】図２
2008018239.tif 000002
【特許請求の範囲】
【請求項１】
支持ベース（１２）と、
前記支持ベース（１２）に対して下降位置と上昇位置との間で移動可能な支持構造体（３８）を含むシート（１４）と、
横断軸（２８）周りに前記支持ベースに連接されて、前記横断軸周りに最前傾位置と最後傾位置との間で揺動する支持構造体（２２）を有する背もたれ（１６）とを含み、
前記シート（１４）および前記背もたれ（１６）は、前記背もたれが前記最前傾位置にあるとき前記シートが前記下降位置にあり、前記背もたれが前記最後傾位置にあるとき前記シートが前記上昇位置にあるように、互いに接続され、
前記シートの支持構造体（３８）は、互いに平行な横断軸（６０，６２）周りに前記支持ベース（１２）および前記シートの支持構造体（３８）に連接された少なくとも１つの揺動レバー（５８）によって、前記支持ベース（１２）に接続され、
前記背もたれの支持構造体（２２）は、それぞれ、前記背もたれ（１６）の関節軸（２８）を超えて前記支持ベース（１２）まで延伸する接続部（３４）を有する２つの側部（２６）を含み、前記接続部（３４）は、前記背もたれ（１６）の前記関節軸（２８）に対して前方に配置された横断軸（５６）周りに前記シートの支持構造体（３８）に連接されていることを特徴とする椅子。
【請求項２】
前記背もたれ（１６）を前記最前傾位置に向かって付勢し、前記シート（１４）を前記下降位置に向かって付勢する弾性装置を含み、前記弾性装置は、前記支持ベースに対して固定された中央部と、前記背もたれ（１６）の前記接続部（３４）に接続された２つの端部とを有する横断する可撓棒（６４）を含むことを特徴とする請求項１に記載の椅子。
【請求項３】
前記可撓棒（６４）は、２つの垂直レバー（６６）によって、前記背もたれ（１６）の前記接続部（３４）に接続されていることを特徴とする請求項２に記載の椅子。
【請求項４】
互いに一直線に並び、前記可撓棒（６４）が貫通して延伸する横断穴をそれぞれ有する２つの可動枢支ピン（７０）を含む、前記可撓棒（６４）の堅さを調節する装置を含むことを特徴とする請求項２に記載の椅子。
【請求項５】
前記調節する装置は、それぞれ前記可動枢支ピン（７０）に固定され、それぞれ、同一の歯車（７８）に咬合するラック（７６）が設けられた２つのロッド（７４）を含むことを特徴とする請求項４に記載の椅子。
【請求項６】
前記支持ベース（１２）は、前記背もたれ（１６）の前記支持構造体（２２）の前記側部（２６）が連接された上方に延伸する２つの側部フランジ（２０）を含むことを特徴とする請求項１に記載の椅子。
【請求項７】
前記シートの支持構造体（３８）は、その上端が前記背もたれ（１６）の前記接続部（３４）に連接された２つの側部垂直アーム（５０）を備える横断部材（４２）を含むことを特徴とする請求項６に記載の椅子。
【発明の詳細な説明】
【技術分野】
【０００１】
本発明は、シートと背もたれとが連動する椅子に関する。
【０００２】
より詳しくは、本発明は、支持ベースと、下降位置と上昇位置との間で支持ベースに対して移動可能なシートと、支持ベースに横断軸周りで連接され、最前傾位置と最後傾位置との間で前記横断軸周りに揺動する背もたれとを含み、シートと背もたれとが、背もたれが最前傾位置にあるとき、シートが下降位置にあり、背もたれが最後傾位置にあるとき、シートが上昇位置にあるように、互いに接続されている椅子に関する。
【背景技術】
【０００３】
上述のタイプの椅子は、「荷重動作椅子」として公知である。ユーザの体重は、シートを下向きに押そうとし、背もたれを最前傾位置に維持しようとする。ユーザが体重を背もたれにかけたとき、後ろ向きの推力は、シートの上にかけられるユーザの体重と対照をなす。このような椅子は、通常、シートをした位置に向かって付勢し、背もたれを最前傾位置に向かって付勢する弾性装置を備え、背もたれにかかる後ろ向きの推力は、シートの上にかかる体重と、背もたれを最前傾位置に維持しようとする弾性力との両方を克服しなければならない。
【発明の開示】
【発明が解決しようとする課題】
【０００４】
本発明の課題は、従来よりも、簡単で、経済的で、且つ、小型の構造を有する上記のタイプの椅子を提供することである。
【課題を解決するための手段】
【０００５】
本発明によれば、前記課題は、支持ベースと、前記支持ベースに対して、下降位置と上昇位置との間で移動可能な支持構造体を含むシートと、横断軸周りに前記支持ベースに連接されて、前記横断軸周りに最前傾位置と最後傾位置との間で揺動する支持構造体を有する背もたれとを含み、前記シートおよび前記背もたれは、前記背もたれが前記最前傾位置にあるとき前記シートが前記下降位置にあり、前記背もたれが前記最後傾位置にあるとき前記シートが前記上昇位置にあるように、互いに接続され、前記シートの支持構造体は、互いに平行な横断軸周りに前記支持ベースおよび前記背もたれの支持構造体に連接された少なくとも１つの揺動レバーによって、前記支持ベースに接続され、前記背もたれの支持構造体は、それぞれ、前記背もたれの関節軸を超えて前記支持ベースまで延伸する接続部を有する２つの側部を含み、前記接続部は、前記背もたれの前記関節軸に対して前方に配置された横断軸周りに前記シートの支持構造体に連接されていることを特徴とする椅子によって達成される。
【発明を実施するための最良の形態】
【０００６】
本発明による椅子は、今、純粋に非限定的例として提供された添付の図面を参照しながら、詳細に説明される。
【０００７】
図１および２を参照すると、符号１０は、本発明にかかる椅子を示す。椅子１０は、固定された支持ベース１２、シート１４および背もたれ１６を含む。
【０００８】
支持ベース１２は、その側端に、上向きに延伸する２つのフランジ２０が設けられた溝型の横断部材１８を含む。支持ベース１２は、事務用椅子製造業で広く知られた配置に従い、その外端にキャスターが設けられた複数の径方向アームによって形成された支持体から上向きに突出する垂直な中央の縦材（不図示）に高さ調節可能に接続される。
【０００９】
背もたれ１６は、型板２４を受け止めて占有者の背中を支持する支持構造体２２を含む。背もたれ１６の支持構造体２２は、縦方向に延伸する２つの側部２６を有する。２つの側部２６は、支持ベース１２のフランジ２０に横断水平軸２８周りで連接されている。背もたれ１６の２つの側部２６は、互いに軸上に並んだ、支持ベース１２のフランジ２０の上端に設けられた対応する穴３２にトラニオン（不図示）によって接続される横断穴３０が設けられている。背もたれ１６の２つの側部２６は、それぞれ、関節軸２８に対して前方に延伸する接続部３４が設けられている。接続部３４は、その前端に、互いに並んだ軸を有する横断穴３６が設けられている。
【００１０】
なおも図１および２を参照すると、シート１４は、支持構造体３８とパネル４０とを含む。そして、支持構造体３８は、横断部材４２と、横断部材４２に固定された２つの縦断材４４とを含む。２つの縦断部材４４は、それぞれ、パネル４０の下部に固定されるブロック４６が係合する縦断ガイドを有する。この配置は、パネル４の位置を支持構造体３８に対して縦方向に調節可能にする。２つのブロック４６の一方は、パネル４０を予め選択した位置に固定可能にし、レバー４８により開放可能な拘束装置が設けられている。
【００１１】
シートの支持構造体３８の横断部材４２は、その側端に、横断部材４２に対して固定された２つの垂直アーム５０が設けられている。２つのアーム５０は、それぞれ、横断軸を有する穴５２が設けられている。横断部材４２の垂直アーム５０は、２つの並んだ穴３６，５２に係合する２つの枢支ピン５４によって、背もたれ１６の接続部３４に連接されている。枢支ピン５４は、シートの支持構造体３８の横断部材４２と背もたれの支持構造体２２との間の、符号５６で示す軸周りに可動な関節接続を達成する。関節軸５６は、背もたれ１６と支持ベース１２との間の関節軸２８に対して平行で、前方に配置されている。
【００１２】
シートの支持構造体３８は、２つの揺動レバー５８によって支持ベース１２に接続されている。各揺動レバー５８は、支持ベース１２に連接された第１端部と、シートの支持構造体３８に連接された第２端部とを有する。より詳しくは、各揺動レバー５８の第２端部は、それぞれ、シートの支持構造体３８の縦断部材４４に連接されている。揺動レバー５８の揺動の軸は、それぞれ、符号６０および６２で示されている。前記軸は、互いに平行で、先に述べた関節の軸２８および５６と平行である。図示した例では、２つの揺動レバー５８が設けられているが、単一の揺動レバー５８でも同じ結果を十分に達成できる。
【００１３】
図２および５を参照すると、支持ベース１２は、可撓棒６４により構成される弾性部材を支える。可撓棒６４は横断方向に、関節の軸２８，５６に平行に延伸する。可撓棒６４の端部はシートの支持構造体３８の横断部材４２を超えて横方向に延伸する。前記端部は、それぞれ、２つの垂直レバー６６の穴に係合する。垂直レバー６６の上端は、背もたれ１６の接続部３４に連接されている。図示した実施形態において、レバー６６の上端は、接続部３４に、シート１６の接続部３４をシートの支持構造体３８の垂直フランジ５０に揺動可能に接続する上述の枢支ピン５４によって連接されている。可撓棒６４は、いかなる断面の、例えば、円形、正方形、長方形などの金属棒でも構成できる。可撓棒６４は、互いに重ね合わせて固定された複数の長片を有する板ばねとして形成されてもよい。可撓棒６４の中央部は支持ベース１２に固定されているが、可撓棒６４の側部は、固定された中央部に対して弾性的に変形できる。
【００１４】
図２および５を参照すると、支持ベース１２は、２つの固定枢支ピン６８と２つの可動枢支ピン７０とを含む。枢支ピン６８，７０は、それを通して可撓棒６４が延伸する横断軸を有する貫通穴が設けられている。枢支ピン６８，７０の穴は、互いに一直線に並び、可動枢支ピン７０は、固定枢支ピン６８に対して横断方向に外側に配置されている。可動枢支ピン７０は、それぞれ、支持ベース１２の横断スロット７２を貫通して延伸する。可動枢支ピン７０は、可撓棒６４と遊びのある係合をし、枢支ピン７０を一緒に移動させられる調整機構によって、支持ベース１２に対して移動可能である。枢支ピン７０の移動量は、棒６４の測端の自由湾曲長さを変化させる。結果として、可動枢支ピン７０は、可撓棒６４の堅さを変化させる。
【００１５】
図６および７は、可動枢支ピン７０の移動を制御する調整機構の例を示す。各可動枢支ピン７０は、それぞれ、調整ロッド７４に固定されている。２つのロッド７４は、支持ベース１２の下面に配置され、それぞれ、垂直軸周りに回転自由な同一の歯車７８に咬合するラック７６を有する。調整ロッド７４の一方は、作動グリップ８０が設けられている。もし、グリップ８０が横断方向に動いたなら、２つのロッド７４は、図６および７に矢印８２で示す方向に、一緒に移動する。図６は、枢支ピン７０が、可撓棒６４を最も堅くする最も外側の位置にある状態を示す。図７は、枢支ピン７０が、可撓棒６４を最も柔軟（最低の堅さ）にする最も内側の位置にある状態を示す。
【００１６】
図３および４は、本発明にかかる椅子の２つの極端な位置を示す。図３に示す状態では、可撓棒６４は変形していない位置にある。背もたれ１６は最前傾位置に有り、シート１４は完全な下降位置にある。椅子は、ユーザに占拠されていないとき、または、ユーザがシート１４に着座しているが背もたれ１６に後ろ向きの力を働かせていないときには、この状態にあると思われる。
【００１７】
図４は、最後傾状態にある背もたれ１６を示す。可撓棒６４は最も屈曲した状態にあり、シート１４は完全な上昇位置にある。これは、ユーザが彼／彼女の体重を背もたれに後ろ向きに預けたときの椅子が取る配置である。ユーザに与えられた後ろ向きの推力は、シート１４の上のユーザの重さおよび可撓棒６４の反力と対照をなす。
【００１８】
シート１４と支持ベース１２との間の接続は、揺動レバー５８および接続部３４によって達成されている。接続の幾何学形状は、シートが下降位置から上昇位置に移動する間に前方に移動し、同時に、水平面に対する傾斜を替えるようになっている。この背もたれの移動は、椅子のあらゆる位置において人間工学の視点から理想的な状態を与えることを可能にする。
【００１９】
最前傾位置において背もたれ１６を復帰させるための弾性部材である可撓棒６４の使用は、支持ベース１２の寸法を大幅に小さくすることができる。また、可撓棒化からなる弾性器官により、弾性器官の堅さを調節する機構もとりわけ簡単になる。
【００２０】
可能な変形として、可撓棒の端部は、垂直アーム５０の下向きの延伸部に接続できる。
【図面の簡単な説明】
【００２１】
【図１】本発明にかかる椅子の部分斜視図。
【図２】図１の椅子の部分分解斜視図。
【図３】本発明の椅子の２つの位置の一方を示す図１のＩＩＩ−ＩＩＩ線での長手方向断面図。
【図４】本発明の椅子の２つの位置の他方を示す図１のＩＩＩ−ＩＩＩ線での長手方向断面図。
【図５】図１のＶ−Ｖ線での部分断面図
【図６】本発明にかかる椅子の底面図。
【図７】本発明にかかる椅子の底面図。
【符号の説明】
【００２２】
１０  椅子
１２  支持ベース
１４  シート
１６  背もたれ
２０  フランジ
２２  支持構造体
２６  側部
２８  関節軸
３４  接続部
３８  支持構造体
４２  横断部材
５０  垂直アーム
５６  横断軸
５８  揺動レバー
６０，６２  横断軸
６４  可撓棒
６６  垂直軸
７０  可動枢支ピン
７４  ロッド
７６  ラック
７８  歯車
【図１】
2008018239.tif 000003
【図２】
2008018239.tif 000004
【図３】
2008018239.tif 000005
【図４】
2008018239.tif 000006
【図５】
2008018239.tif 000007
【図６】
2008018239.tif 000008
【図７】
2008018239.tif 000009